(57)【要約】【課題】本発明は、槽内に堆積した砂泥を管理するための管理用空間を形成するための単位部材とその単位部材を用いた空間形成方法を提供するものである。【解決手段】地下に盤体と盤体に開口した筒状部からなる単位部材を上下左右に配列し貯留空間を形成し、当該貯留空間をシートで覆った雨水等の貯留槽において、貯留空間内に貯留部と管理部とを構成し、当該管理部を形成する前記単位部材は貯留部を形成する単位部材と外形を同一とし、かつ管理部を形成する単位部材の盤体は盤体の縁部に凹部が設けられ、当該凹部に嵌合する板材を用いて区画壁とし、管理部と貯留部を区分し、管理部と貯留部を連通させた地下式貯留槽である。【選択図】図1
2014012977.tif 000002
【特許請求の範囲】
【請求項１】
地下に盤体と盤体に開口した筒状部からなる単位部材を上下左右に配列し貯留空間を形成し、当該貯留空間をシートで覆った雨水等の貯留槽において、貯留空間内に貯留部と管理部とを構成し、当該管理部を形成する前記単位部材は貯留部を形成する単位部材と外形を同一とし、かつ管理部を形成する単位部材の盤体は盤体の縁部に凹部が設けられ、当該凹部に嵌合する板材を用いて区画壁とし、管理部と貯留部を区分し、管理部と貯留部を連通させた地下式貯留槽。
【発明の詳細な説明】
【技術分野】
【０００１】
本発明は、樹脂製単位部材を用いた貯留槽の技術に属する。
【背景技術】
【０００２】
雨水等の流出抑制を目的として、プラスチックなどで製造された単位部材を地下に配列充填し貯留空間を形成し、その周囲を透水性シート、あるいは遮水シートで覆った雨水等の貯留浸透槽が普及している。この目的のため各種の異なる形状の単位部材が例えば特開昭63-268823、特開昭63-293233、特開平9-296486、特開平10-252108、特開平11-222886などに提案且つ使用されている。いずれの方法においても貯留空間に一時貯留した雨水等を、流出抑制を目的とする場合とする場合、地下水位の低い場所では透水性シートを介して地中に浸透させ、地下水位の高い場所では遮水シートで地下水の槽内への侵入を防ぎ、徐々に下水等に放流する。その他、雨水利用としての貯留槽として使用できる。
かかる樹脂製単位部材を用いた地下式貯留槽は、従来のコンクリート槽と比較すると内部に人が自由に立ち入り槽内に溜まった砂泥を洗浄除去することは困難である。そのため、特開2006-169814、特開2008-121349には槽内に設けた通路あるいはU字溝に導き、あるいは特開2007-71019には槽内に空間を設けその空間内で砂泥を沈降させ、排出できるようにしている。
【先行技術文献】
【特許文献】
【０００３】
【特許文献１】特開昭63-268823
【特許文献２】特開昭63-293233
【特許文献３】特開平9-296486
【特許文献４】特開平10-252108
【特許文献５】特開平11-222886
【特許文献６】特開2006-169814
【特許文献７】特開2008-121349
【特許文献８】特開2007-71019
【発明の開示】
【発明が解決しようとする課題】
【０００４】
本発明は、槽内に堆積した砂泥を管理するための管理用空間を形成するための単位部材とその単位部材を用いた空間形成方法を提供するものである。
【課題を解決するための手段】
【０００５】
本発明は、地下に盤体と盤体に開口した筒状部からなる単位部材を上下左右に配列し貯留空間を形成し、当該貯留空間をシートで覆った雨水等の貯留槽において、貯留空間内に貯留部と管理部とを構成し、当該管理部を形成する前記単位部材は貯留部を形成する単位部材と外形を同一とし、かつ管理部を形成する単位部材の盤体は盤体の縁部に凹部が設けられ、当該凹部に嵌合する板材を用いて区画壁とし、管理部と貯留部を区分し、管理部と貯留部を連通させた地下式貯留槽である。
【発明の効果】
【０００６】
本発明は、貯留空間の一部に単位部材の縁部に凹部を設け、凹部に嵌合する板材を用いて区画壁とし、貯留部内に砂泥の管理用の管理部を形成したため、以下の効果がある。
（１）貯留部、管理部を外形が同一形状の単位部材で形成することで管理部が周囲の貯留部に影響を与えることなく貯留空間内に容易に形成できる。
（２）貯留空間の外側の単位部材を管理部と同一の単位部材とすることで、外壁として本板材が使用できる。
（３）槽内に管理部を設けることで、槽内に流入する砂泥を定められた管理部内に留めることができ、砂泥処理が容易となる。
【図面の簡単な説明】
【０００７】
【図１】は、本発明に使用する単位部材の概念図を示す。
【図２】は、本発明に使用する板材と単位部材に嵌合させた状態を示す概念図である。
【図３】は、管理空間の概念図である。
【図４】は、本発明の貯留槽の概念図を示す。
【図５】は、本発明に使用する単位部材の例を示す。
【図６】は、本発明の管理槽を有する雨水流出抑制施設の例を示す。
【発明を実施するための形態】
【０００８】
以下、本発明を図により詳細に説明する。
図1は、本発明に使用する管理部を形成する単位部材の概念図である。図に示すとおり、本単位部材は一般にはリブで構成される盤体と盤体表面に開口し、盤体に対し垂直方向に向く筒状部から構成されている。さらに盤体縁部には嵌合用の凹部が筒状部と同じ方向に設けられている。本単位部材は一般的には図３、図４に示すように、二つの単位部材の筒部を対向させた状態をユニットとして貯留空間内に配置される。したがい、盤体縁部に設けられる凹部はユニットとした時互いに対向する向きになる。単位部材の例は、図５に示す。
【０００９】
図２ａは管理部を貯留部から区画するための区画壁となる板材である。本板材を図２ｂに示すように盤体縁部に設けた凹部に嵌合させる。例えばこれを貯留部の高さまで組み上げれば貯留空間内に図３に示すような管理用の管理部が形成されることとなる。また、最上段の板材を除く、あるいは任意の位置の板材を除いて連通させることも本発明の範囲内である。図２ｃは図５ｃに示す単位部材についても本発明が適用できることを示している。
【００１０】
図３ａに示す管理部は、単位部材を平面形状として１ユニットを垂直に配列立ち上げているが複数ユニットを平面形状として長方形あるいは正方形に組み合わせ垂直に立ち上げ、必要な管理容量を有する管理部とすることができる。また、図３ｂに示すように、管理部内の中心にあるべき単位部材を抜き取って人孔あるいは作業用空間とすることも可能である。
【００１１】
本管理部は、貯留空間内の任意の位置に形成されうるが、一般的には貯留空間の縁部に形成される。一般に貯留空間内に導入される雨水等は、泥だめ枡を介し含まれる砂泥の一部を沈殿除去された後、管理部内に導入される。管理部内で残余の砂泥がさらに除去された後、上澄み液が管理部と貯留部との連通部を介し、貯留部内に導入される。
管理部、貯留部を形成する単位部材は同一のものが使用できる。少なくともその外形形状が同一の単位部材とすることが、貯留部と管理部との境界を乱すことなく形成するため望ましい。なおここでの外形形状が同一とは、単位部材の盤体の平面外形寸法が同一であり、単位部材の高さ寸法が同じであればよい。図５に示す単位部材の例に示すように、盤体の一部が切り欠かれたとしても、その切り欠け部を補完して外形的に同一になればよい。上記したように貯留部と管理部との境界を乱すことの無い形状であればよい。
【００１２】
管理空間を区画する区画壁となる板材は、管理部と貯留部とを厳密に区分するよう緻密に形成することも可能であるが、雨水等の貯留浸透槽として使用する目的のためなら、厳密に緻密にする必要は一般的にはない。砂泥分離の目的、分離の程度に応じて適宜スリット、孔を設け、本発明の目的を阻害しない範囲で軽量化等することができる。
【００１３】
図６に示すように貯留空間を浸透シート、遮水シートで覆い浸透槽あるいは貯留槽とし、泥だめ枡、流入管、溢流管、オリフィスますなど付帯設備を設けて、従来の流出抑制用の雨水等の貯留・浸透槽あるいは雨水利用のための貯留槽として使用する。
貯留空間の外側をシートで覆い、そのシートのみで外壁とすることは無理があり、壁材を使用するが、図２に示す板材が壁材として使用することができる。
【産業上の利用可能性】
【００１４】
単位部材を使用する雨水等の貯留槽として、雨水利用のための貯留槽として使用できる。
【符号の説明】
【００１５】
１  単位部材
１１盤体
１２筒状部
１３凹部
２  板材
３  ユニット
４  管理部
５  貯留部
６  貯留空間（管理部と貯留部を合わせた空間）
【図１】
2014012977.tif 000003
【図２】
2014012977.tif 000004
【図３】
2014012977.tif 000005
【図４】
2014012977.tif 000006
【図５】
2014012977.tif 000007
【図６】
2014012977.tif 000008